(57)【要約】【課題】追加の高価かつ煩雑なデバイスを設けることなく弦楽器を調律し、関連するテンポを設定し、動的な視覚ディスプレイを演奏に組み込むためのよりよい方法が必要である。【解決手段】電気弦楽器と共に使用する複数の統合された機能を備える改善されたノブは、電気弦楽器または相互接続された増幅器に配置でき、付加された特徴であることができ、あるいは１つまたは複数の既存のノブに取って代わることができる。一実施形態では、電気ギター用のボリューム・ノブが取り除かれ、改善されたノブがそれに取って代わる。改善されたノブは、使用者が複数の機能の間で切り替え、同時にそれぞれの選択された機能を使用者が制御できるようにするスイッチを有し、取り除かれたボリューム・ノブを補償するボリューム機能を有し、チューナ機能、メトロノーム機能、および動的な視覚ディスプレイ機能を含むいくつかのその他の機能を有する。【選択図】図４Ａ
2009526271.tif 000002
【特許請求の範囲】
【請求項１】
電気弦楽器と共に使用する改善されたノブであって、
前記電気弦楽器を調律するチューナ機能と、
前記電気弦楽器を演奏しながらテンポを維持するメトロノーム機能と、
前記電気弦楽器を演奏しながら視覚的要素を加える視覚ディスプレイ機能と、
前記１つまたは複数の機能に動力を与える相互接続された電源と、
前記１つまたは複数の機能のための処理操作を行う、相互接続されたプロセッサと、
処理操作の結果を表示する、前記プロセッサに相互接続された、いくつかのディスプレイと
のうちの１つまたは複数を備える改善されたノブ。
【請求項２】
前記電気弦楽器が増幅器に相互接続された、請求項１に記載の改善されたノブ。
【請求項３】
前記改善されたノブが、
前記電気弦楽器と、
前記相互接続された増幅器と
のうちの１つまたは複数に配置される、請求項２に記載の改善されたノブ。
【請求項４】
前記改善されたノブが、
前記電気弦楽器と、
前記増幅器と
のうちの１つまたは複数のボリューム・ノブに取って代わる、請求項３に記載の改善されたノブ。
【請求項５】
前記改善されたノブがさらに、
前記増幅器からの音の出力のボリュームを調整するボリューム機能と、
前記ボリューム機能と前記１つまたは複数のその他の機能との間で切り替えるスイッチとを有する、請求項４に記載の改善されたノブ。
【請求項６】
前記改善されたノブが、
前記電気弦楽器と、
前記増幅器と、
のうちの１つまたは複数のトーン・ノブに取って代わる、請求項３に記載の改善されたノブ。
【請求項７】
前記改善されたノブがさらに、
前記増幅器からの音の出力の音色を調整するトーン機能と、
前記トーン機能と前記１つまたは複数のその他の機能との間で切り替えるスイッチとを有する、請求項６に記載の改善されたノブ。
【請求項８】
前記いくつかのディスプレイが、
前記改善されたノブに相互接続された、いくつかのディスプレイ・リングと、
いくつかの照明管と、
いくつかのポップアウト・ディスプレイと
のうちの１つまたは複数に配置される、請求項３に記載の改善されたノブ。
【請求項９】
前記いくつかのディスプレイがそれぞれ、いくつかの照明源を備え、それぞれの照明源が、
いくつかの発光ダイオードと、
いくつかの液晶ディスプレイと、
いくつかの有機発光ダイオードと、
いくつかの真空蛍光表示管と、
いくつかのドットマトリックス・ディスプレイと、
いくつかの７セグメント発光ダイオード表示装置と
のうちの１つまたは複数を備える、請求項１に記載の改善されたノブ。
【請求項１０】
前記チューナ機能のための前記プロセッサによって行われる前記処理操作が、前記電気弦楽器で演奏される音楽的な音の周波数を決定し、前記電気弦楽器で演奏される前記音楽的な音の周波数を記憶された音の周波数と比較することを含む、請求項１に記載の改善されたノブ。
【請求項１１】
前記チューナ機能に関する処理操作結果を表示する前記いくつかのディスプレイが、前記電気弦楽器で演奏された前記音楽的な音の周波数が最も近い記憶された音の上で所定の閾値量を超える場合に点灯するいくつかの第１の照明源と、前記電気弦楽器で演奏された前記音楽的な音の周波数が最も近い記憶された音の下で所定の閾値量未満の場合に点灯するいくつかの第２の照明源とを有する、請求項１０に記載の改善されたノブ。
【請求項１２】
前記いくつかの第１の照明源および前記いくつかの第２の照明源が、最も近い記憶された音からの、前記電気弦楽器で演奏される前記音楽的な音の周波数の隔たりに依存する周波数で点灯し、消灯する、請求項１１に記載の改善されたノブ。
【請求項１３】
前記チューナ機能に関する処理操作結果を表示する前記いくつかのディスプレイがさらに、前記電気弦楽器で演奏される前記音楽的な音に最も近い記憶された音を示すために点灯するいくつかの第３の照明源を有する、請求項１１に記載の改善されたノブ。
【請求項１４】
前記チューナ機能に関する処理操作結果を表示する前記いくつかのディスプレイが、順次に閃光してチェース効果を形成する照明源のリングを有する、請求項１０に記載の改善されたノブ。
【請求項１５】
前記チェース効果の見掛け速度が、最も近い記憶された音からの、前記電気弦楽器で演奏される前記音楽的な音の周波数の隔たりに依存する、請求項１４に記載の改善されたノブ。
【請求項１６】
前記電気弦楽器で演奏された前記音楽的な音の周波数が最も近い記憶された音の上で所定の閾値量を超える場合に、前記チェース効果が第１の方向であり、前記電気弦楽器で演奏された前記音楽的な音の周波数が最も近い記憶された音の下で所定の閾値量未満の場合に、前記チェースが第２の方向である、請求項１４に記載の改善されたノブ。
【請求項１７】
前記メトロノーム機能に関して前記プロセッサによって行われる前記処理操作が、クロック・サイクルを数えることによって、使用者が決定した１分間当たりのビートの数を提供し、
前記いくつかのディスプレイおよび
前記増幅器のうちの１つまたは複数に前記ビートを出力することを含む、請求項１に記載の改善されたノブ。
【請求項１８】
前記１分間当たりのビートの数が、前記電気弦楽器の弦の２つの連続的なつま弾きの間の期間によって決定される、請求項１７に記載の改善されたノブ。
【請求項１９】
前記メトロノーム機能に関して前記プロセッサによって行われる前記処理操作がさらに、使用者が決定したアクセントを付けられたビートの周波数を提供し、前記アクセントを付けられたビートが前記いくつかのディスプレイ、および前記増幅器のうちの１つまたは複数に出力することを含む、請求項１７に記載の改善されたノブ。
【請求項２０】
前記光ディスプレイ機能に関して前記プロセッサによって行われる前記処理操作が、クロック・サイクルを数えることによっていくつかの照明源の閃光を調整することを含む、請求項１に記載の改善されたノブ。
【請求項２１】
前記いくつかの照明源が、
プリセット・パターンと、
ランダム・パターンと、
前記電気弦楽器で演奏された前記音楽的な音によって異なるパターンと
のうちの１つまたは複数で閃光する、請求項２１に記載の改善されたノブ。
【請求項２２】
電気弦楽器と、
前記電気弦楽器に相互接続された増幅器と、
前記電気弦楽器に相互接続された改善されたノブであって、
前記電気弦楽器を調律するチューナ機能と、
前記電気弦楽器を演奏しながらテンポを維持するメトロノーム機能と、
前記電気弦楽器を演奏しながら視覚的要素を加える視覚ディスプレイ機能とのうちの１つまたは複数を備える改善されたノブと、
前記１つまたは複数の機能に動力を与える相互接続された電源と、
前記１つまたは複数の機能のための処理操作を行う、相互接続されたプロセッサと、
前記処理操作の前記結果を表示する、前記プロセッサに相互接続された、いくつかのディスプレイと
を備える電気弦楽器システム。
【請求項２３】
前記改善されたノブが、
前記電気弦楽器と、
前記相互接続された増幅器と
のうちの１つまたは複数に配置された、請求項２２に記載の電気弦楽器システム。
【請求項２４】
前記改善されたノブが、
ボリューム・ノブと、
トーン・ノブと
のうちの１つまたは複数に取って代わる、請求項２３に記載の電気弦楽器システム。
【請求項２５】
前記チューナ機能のための前記プロセッサによって行われる前記処理操作が、前記電気弦楽器で演奏される音楽的な音の周波数を決定し、前記電気弦楽器で演奏される前記音楽的な音の周波数を記憶された音の周波数と比較することを含む、請求項２２に記載の電気弦楽器システム。
【請求項２６】
前記チューナ機能に関する処理操作結果を表示する前記いくつかのディスプレイが、前記電気弦楽器で演奏された前記音楽的な音の周波数が最も近い記憶された音の上で所定の閾値量を超える場合に点灯するいくつかの第１の照明源と、前記電気弦楽器で演奏された前記音楽的な音の周波数が最も近い記憶された音の下で所定の閾値量未満の場合に点灯するいくつかの第２の照明源とを有する、請求項２５に記載の電気弦楽器システム。
【請求項２７】
前記いくつかの第１の照明源および前記いくつかの第２の照明源が、最も近い記憶された音からの、前記電気弦楽器で演奏される前記音楽的な音の周波数の隔たりに依存する周波数で点灯し、消灯する、請求項２６に記載の電気弦楽器システム。
【請求項２８】
前記チューナ機能に関する処理操作結果を表示する前記いくつかのディスプレイがさらに、前記電気弦楽器で演奏される前記音楽的な音に最も近い記憶された音を示すために点灯するいくつかの第３の照明源を有する、請求項２６に記載の電気弦楽器システム。
【請求項２９】
前記チューナ機能に関する処理操作結果を表示する前記いくつかのディスプレイが、順次に閃光してチェース効果を形成する照明源のリングを有する、請求項２５に記載の電気弦楽器システム。
【請求項３０】
前記チェース効果の見掛け速度が、最も近い記憶された音からの、前記電気弦楽器で演奏される前記音楽的な音の周波数の隔たりに依存する、請求項２９に記載の電気弦楽器システム。
【請求項３１】
前記電気弦楽器で演奏された前記音楽的な音の周波数が最も近い記憶された音の上で所定の閾値量を超える場合に、前記チェース効果が第１の方向であり、前記電気弦楽器で演奏された前記音楽的な音の周波数が最も近い記憶された音の下で所定の閾値量未満の場合に、前記チェースが第２の方向である、請求項２９に記載の電気弦楽器システム。
【請求項３２】
前記メトロノーム機能に関して前記プロセッサによって行われる前記処理操作が、クロック・サイクルを数えることによって、使用者が決定した１分間当たりのビートの数を提供し、前記いくつかのディスプレイ、および前記増幅器のうちの１つまたは複数に前記ビートを出力することを含む、請求項２２に記載の電気弦楽器システム。
【請求項３３】
前記１分間当たりのビートの数が、前記電気弦楽器の弦の２つの連続的なつま弾きの間の期間によって決定される、請求項３２に記載の電気弦楽器システム。
【請求項３４】
前記メトロノーム機能に関して前記プロセッサによって行われる前記処理操作がさらに、使用者が決定したアクセントを付けられたビートの周波数を提供し、前記アクセントを付けられたビートが前記いくつかのディスプレイ、および前記増幅器のうちの１つまたは複数に出力することを含む、請求項３２に記載の電気弦楽器システム。
【請求項３５】
前記光ディスプレイ機能に関して前記プロセッサによって行われる前記処理操作が、クロック・サイクルを数えることによっていくつかの照明源の閃光を調整することを含む、請求項２２に記載の電気弦楽器システム。
【請求項３６】
前記いくつかの照明源が、
プリセット・パターンと、
ランダム・パターンと、
前記電気弦楽器で演奏された前記音楽的な音によって異なるパターンと
のうちの１つまたは複数で閃光する、請求項３５に記載の電気弦楽器システム。
【請求項３７】
電気弦楽器を調律する方法であって、
相互接続された改善されたノブを備える電気弦楽器であって、前記改善されたノブが前記電気弦楽器を調律するチューナ機能、前記チューナ機能に動力を与える相互接続された電源、前記チューナ機能に関して処理操作を行う相互接続されたプロセッサ、および処理操作結果を表示するために、前記プロセッサに相互接続されたディスプレイを提供するステップと、
前記電気弦楽器の前記弦のうちの１つで音を演奏するステップと、
前記電気弦楽器で前記演奏された弦を調律するのを補助するために、前記ディスプレイに表示された前記処理操作結果を使用するステップと
を含む方法。
【請求項３８】
前記電気弦楽器が増幅器に相互接続された、請求項３７に記載の方法。
【請求項３９】
前記改善されたノブが、
前記電気弦楽器と、
前記相互接続された増幅器と
のうちの１つまたは複数に配置された、請求項３８に記載の方法。
【請求項４０】
前記改善されたノブが、ボリューム・ノブおよびトーン・ノブのうちの１つまたは複数に取って代わる、請求項３９に記載の方法。
【請求項４１】
前記チューナ機能のための前記プロセッサによって行われる前記処理操作が、前記電気弦楽器で演奏される音楽的な音の周波数を決定し、前記電気弦楽器で演奏される前記音楽的な音の周波数を記憶された音の周波数と比較することを含む、請求項３７に記載の方法。
【請求項４２】
前記チューナ機能に関する処理操作結果を表示する前記いくつかのディスプレイが、前記電気弦楽器で演奏された前記音楽的な音の周波数が最も近い記憶された音の上で所定の閾値量を超える場合に点灯するいくつかの第１の照明源と、前記電気弦楽器で演奏された前記音楽的な音の周波数が最も近い記憶された音の下で所定の閾値量未満の場合に点灯するいくつかの第２の照明源とを有する、請求項４１に記載の方法。
【請求項４３】
前記いくつかの第１の照明源および前記いくつかの第２の照明源が、最も近い記憶された音からの、前記電気弦楽器で演奏される前記音楽的な音の周波数の隔たりに依存する周波数で点灯し、消灯する、請求項４２に記載の方法。
【請求項４４】
前記チューナ機能に関する処理操作結果を表示する前記いくつかのディスプレイがさらに、前記電気弦楽器で演奏される前記音楽的な音に最も近い記憶された音を示すために点灯するいくつかの第３の照明源を有する、請求項４２に記載の方法。
【請求項４５】
前記チューナ機能に関する処理操作結果を表示する前記いくつかのディスプレイが、順次に閃光してチェース効果を形成する照明源のリングを有する、請求項４１に記載の方法。
【請求項４６】
前記チェース効果の見掛け速度が、最も近い記憶された音からの、前記電気弦楽器で演奏される前記音楽的な音の周波数の隔たりに依存する、請求項４５に記載の方法。
【請求項４７】
前記電気弦楽器で演奏された前記音楽的な音の周波数が最も近い記憶された音の上で所定の閾値量を超える場合に、前記チェース効果が第１の方向であり、前記電気弦楽器で演奏された前記音楽的な音の周波数が最も近い記憶された音の下で所定の閾値量未満の場合に、前記チェースが第２の方向である、請求項４５に記載の方法。
【発明の詳細な説明】
【技術分野】
【０００１】
本出願は、２００６年２月７日に出願の仮特許出願第６０／７７１，５８０号の利益を主張する。
【０００２】
本出願は電気弦楽器の分野に関し、特に電気弦楽器に使用する改善されたノブに関する。
【背景技術】
【０００３】
弦楽器は、世界中の多くの国でポピュラー音楽の重要な部分を形作るものとなっている。困ったことに多くの弦楽器は、温度や湿度の変化など局所的な環境の変化により、ならびに衝撃が加わったり、押したり、演奏することなど物理的に動揺されることからたびたび調律が狂う。その結果、多くの弦楽器はたびたび調律する必要がある。１つの一般的に使用される弦楽器の調律の技術は、耳を使用して弦楽器の各弦の適切な周波数を認識することである。しかし、多くの人は、耳によって弦楽器を調律するのに必要な鋭敏な聴覚に恵まれていない。さらに、耳によって弦楽器を調律するために十分よく聞き取ることができるために局所的な騒音レベルが高すぎる場合でも、調律を行うことが求められる可能性がある。
【０００４】
弦楽器を調律するために一般に使用される別の技術には、音叉、調律笛、電話の発信音、またはその他の楽器を含む１つまたは複数のトーン・ジェネレータを使用することが含まれる。トーン・ジェネレータは、調律される弦楽器の弦の周波数と比較できる可聴の基準音を生成するのに使用できる。しかし、トーン・ジェネレータは必ずしも直ちに可聴にすることができず、維持するのが煩雑である可能性がある。さらに、トーン・ジェネレータを使用して弦楽器を調律することは絶対音感のない人、および／または騒音の大きな状況下で使用された場合に困難である可能性がある。
【０００５】
弦楽器を調律する別の一般的に使用される技術は電子調律デバイスを使用するものである。電子調律デバイスは、調律が合っている弦と調律が合っていない弦とを判別する能力がない人に対して、および雑音の大きい環境で使用するのに有用である可能性がある。しかし、電子調律デバイスは高価であり、扱いにくく、使用するのに不便である。
【発明の開示】
【発明が解決しようとする課題】
【０００６】
多くの人は弦楽器を演奏しながら、メトロノームを使用してテンポを設定して楽しむ。困ったことに、メトロノームは場所によっては使用するのに不便であり、または使用不可能である可能性がある。さらに、弦楽器の演奏者によっては、音楽の演奏に動的な視覚ディスプレイを導入して楽しむ。しかし、閃光などの動的な視覚ディスプレイを統合することは、高価かつ煩雑である可能性がある。さらに、動的な視覚ディスプレイを、演奏される音楽に関連して閃光するように構成することは、特に煩雑となりうる。したがって、弦楽器の演奏者、および弦楽器を聞いて楽しむ人は、いくつかの追加の高価かつ煩雑なデバイスを設けることなく弦楽器を調律し、関連するテンポを設定し、動的な視覚ディスプレイを生み出された音楽の演奏に組み込むためのよりよい方法が必要であることを認識した。
【課題を解決するための手段】
【０００７】
本発明の様々な実施形態は電気弦楽器と共に使用する複数の統合された機能を備える改善されたノブを対象とする。改善されたノブは、電気弦楽器または相互接続された増幅器に配置でき、付加された特徴であることができ、あるいは１つまたは複数の既存のノブに取って代わることができる。本発明の１つの実施形態では、電気ギター用のボリューム・ノブが取り除かれ、改善されたノブがそれに取って代わる。改善されたノブは、使用者が複数の機能の間で切り替え、同時にそれぞれの選択された機能を制御できるようにするスイッチを有する。改善されたノブは取り除かれたボリューム・ノブを補償するボリューム機能を有する。さらに、改善されたノブは、チューナ機能、メトロノーム機能、および動的な視覚ディスプレイ機能を含むいくつかのその他の機能を有する。
【発明を実施するための最良の形態】
【０００８】
本発明の様々な実施形態が、電気弦楽器（「楽器」）と共に使用する改善されたノブを対象とする。改善されたノブは、楽器または相互接続された増幅器に配置でき、付加された特徴であることができ、あるいはボリューム・ノブ、トーン・ノブ、またはピックアップ・セレクタなどの１つまたは複数の既存のノブに取って代わることができる。改善されたノブは、チューナ機能、メトロノーム機能、および動的な視覚ディスプレイ機能を含むいくつかの統合された機能を有することができる。さらに、改善されたノブが既存のノブに取って代わって使用された場合、改善されたノブは、同時にボリューム機能、トーン機能、またはピックアップ・セレクタ機能などの取り除かれたノブの機能を有する。
【０００９】
本発明の１つの実施形態では、電気ギターのノブに改善されたノブが取って代わる。改善されたノブは電気ギターに関連して述べられるが、改善されたノブは電気ベース、電気バイオリン、電気バンジョー、およびその他の電気弦楽器などのその他のタイプの電気弦楽器と共に使用できる。図１は、電気ギターの正面図を示す。電気ギター１００が、ヘッドストック１０２、ネック１０４、および本体１０６を有する。ヘッドストック１０２は６つの調律ペグ１０８〜１１３を備える。本体１０６は、駒１１６、３つのピックアップ１１８〜１２０、ボリューム・ノブ１２２、２つのトーン・ノブ１２４、１２５、出力ジャック１２６、およびピックアップ・セレクタ１２７を含む。６つの金属弦１２８〜１３３がそれぞれ、駒１１６から６つの調律ペグ１０８〜１１３に延出する。
【００１０】
使用者が電気ギター１００を演奏する場合、使用者は第１の手で１つまたは複数の弦１２８〜１３３をつま弾き、こすり、はじき、叩き、たたき、打ちつけ、またはかき鳴らし（「演奏し」）、第２の手で様々な位置でネック１０４に演奏された、いくつかの弦を押し付けることによって、１つまたは複数の弦１２８〜１３３に沿って振動を生み出す。所与の演奏される弦に押し下げる第２の手のネック１０４に沿った位置は、弦によって生成される振動の周波数を決定する。電気ギター１００によって最終的に出力される音の性質は、各弦１２８〜１３３が演奏される様式により影響を与えられる可能性がある。さらに、音のボリュームおよび音色はそれぞれボリューム・ノブ１２２、ならびにトーン・ノブ１２４および１２５を調整することによって影響される可能性がある。
【００１１】
６つの弦１２８〜１３３は３つのピックアップ１１８〜１２０の上を通過する。各ピックアップ１１８〜１２０は、ワイヤで巻かれたいくつかの磁石を備える。上に重なる金属弦の振動は、１つまたは複数の磁石の周囲に巻かれた１つまたは複数のワイヤに信号を誘発する。信号は１つまたは複数のピックアップ１１８〜１２０から出力ジャック１２６に電気ギター回路に沿って通る。電気ギター・ケーブル（図１には示されない）は電気ギター１００を増幅器などのその他のデバイスに相互接続する出力ジャック１２６への入力であることができる。異なるタイプの電気ギターがそれぞれ異なる数のピックアップ、ボリューム・ノブ、トーン・ノブ、およびその他の特徴を有することができることに留意されたい。例えば、第１の電気ギターが１つのピックアップを有することができ、第２の電気ギターが４つのピックアップを有することができる。第３の電気ギターがピックアップ・セレクタ毎に個別のボリューム・ノブを有することができ、第４の電気ギターがどのようなトーン・ノブも有しないことができる。
【００１２】
図２は、増幅器に相互接続された電気ギターを示す。図２では、電気ギター２０２が電気ギター・ケーブル２０６を介して増幅器２０４に相互接続されている。電気ギター２０２が増幅器２０４に相互接続された場合、電気ギター回路から出力された信号は、出力ジャック（図１の１２６）を通過し、電気ギター・ケーブル２０６に入る。電気ギター・ケーブル２０６の信号は、電気ギター・ケーブル２０６から増幅器２０４に出力される。増幅器２０４は入力信号を増幅し、１つまたは複数の相互接続されたスピーカ２０８から可聴音を出力する。増幅器２０４は、１つまたは複数のボリューム・ノブ２１０、および１つまたは複数のトーン・ノブ２１２などの１つまたは複数のスピーカ２０８から最終的に出力される音の性質を変える様々な手段を提供することもできる。１つまたは複数のスピーカ２０８から最終的に出力される音の性質は、信号を増幅器２０４に送る前にさらなるデバイスに信号を通過させることによって影響を与えることもできる。例えば、信号は１つまたは複数の仲介するエフェクト・ペダルを通過できる。さらに、様々な電気ギターが、当分野で一般的な４分の１インチのチップ・スリーブ接続を有する電気ギター・ケーブルと嵌り合う出力ジャックなどの異なるタイプの出力ジャック１２６を利用できる。しかし、電気ギターによっては、その代わりに無線送信機を利用できる。
【００１３】
図３は例示の電気ギター回路の概略図である。電気ギター回路３００が、第１のピックアップ・コイル３０２、第２のピックアップ・コイル３０４、ピックアップ・セレクタ３０６、ボリューム調整器３０８、トーン調整器３１０、および出力ジャック３１２を有する。ピックアップ・セレクタ３０６は、使用者が電気ギターの使用可能なピックアップのうちの１つからの信号を受けるために選択できるようにする。図３では、「ピックアップ１」が選択されている。図３では、ボリューム調整器３０８およびトーン調整器３１０が様々な関連する電気部品を囲む点線の円として示される。ボリューム調整器３０８は１つまたは複数の調整可能なボリューム抵抗３１４を有する。トーン調整器３１０は、１つまたは複数のコンデンサ３１６および１つまたは複数の調整可能なトーン抵抗３１８からなる帯域フィルタを有する。ボリューム調整器３０８およびトーン調整器３１０は、１つまたは複数の可変抵抗器に相互接続されたノブによるなどのいくつかの異なる手段によって使用者により制御できる。
【００１４】
選択されたピックアップ・コイル３０２および３０４の付近の振動する弦は、出力ジャック３１２に到達する前に、誘起された信号をボリューム調整器３０８（「ボリューム・ノブ」）およびトーン調整器３１０（「トーン・ノブ」）を介して伝達させる。使用者は、増幅器および相互接続されたスピーカに最終的に出力される音の性質を調整するためにボリューム・ノブ３０８および／またはトーン・ノブ３１０を使用できる。さらなるノブおよび制御装置が、さらなるボリューム・ノブおよびさらなるトーン・ノブを含んで図３に示す電気ギター回路に相互接続できる。
【００１５】
改善されたノブが楽器用の付加された特徴である場合、改善されたノブは楽器の回路に追加できる。図４Ａは、本発明の１つの実施形態を表すチューナ機能を有する、相互接続された改善されたノブを備える図３に示す電気ギター回路の概略図を示す。改善されたノブ４００はチューナ機能の間で切り替え、電気ギター回路３００を完成するスイッチ４０２を有する。図４Ａでは、改善されたノブ４００は出力ジャック３１２、ボリューム・ノブ３０８、トーン・ノブ３１０の間で電気ギター回路３００に示される。しかし、あるいは改善されたノブ４００は、ピックアップ・セレクタ３０６、ボリューム・ノブ３０８、トーン・ノブ３１０の間に配置できる。同様に、チューナ機能を有する改善されたノブが付加された特徴として増幅器に配置される場合、改善されたノブはチューナ機能の間で切り替え、増幅器回路を完成するスイッチを有する。
【００１６】
楽器または相互接続された増幅器のためのノブに代わって、改善されたノブになる場合、改善されたノブは取り除かれたノブの機能と１つまたは複数のその他の機能との間で切り替えることができる。例えば、電気ギターのボリューム・ノブに代わって、改善されたノブになる場合、改善されたノブはボリューム機能と１つまたは複数のチューナ機能などの追加の機能との間で切り替えることができる。図４Ｂは、本発明の１つの実施形態を表すチューナ機能を有し、改善されたノブがボリューム・ノブに取って代わった図３に示す電気ギター回路の概略図である。図４Ｂでは、改善されたノブ４０４はボリューム機能およびチューナ機能を囲む点線の円として表されて示される。改善されたノブ４０４は、ボリューム機能とチューナ機能の間で切り替えるスイッチ４０６を有する。ボリューム機能およびチューナ機能の両方が使用者により制御される。したがって、使用者は、ボリューム機能を選択し、使用するために改善されたノブ４０４を使用でき、または使用者はチューナ機能に切り替え、改善されたノブを使用して、使用者が電気ギターを調律するのを補助できる。チューナ機能を備える改善されたノブがボリューム・ノブの代替のノブとして増幅器に配置される場合、改善されたノブは同様にチューナ機能とボリューム機能の間で切り替えるスイッチを有する。
【００１７】
多くの異なるタイプのスイッチが、スイッチ４０２および４０６のために使用できる。該スイッチ４０２および４０６は、瞬時接触スイッチ、タッチスイッチ、電気ギターの本体（図１の１０６）の中に／から改善されたノブ４００を押しかつ／または引くことによって動作されるプッシュプル型スイッチ、ボリュームが不可聴のレベルに低減され、スイッチ４０２がチューナ機能に切り替えられたことを示す「クリック」が起こるように、使用者が改善されたノブ４００を一方の方向に十分多く回転させるまでボリューム機能のままになる回転クリックスイッチ、または多くのその他のタイプのスイッチを備える。
【００１８】
図５は、本発明の１つの実施形態を表すチューナ機能を有する、改善されたノブの分解図である。チューナ機能を備える改善されたノブ５００は、可変抵抗器（「ｐｏｔ」）５０２、プリント回路基板（「ＰＣＢ」）５０４、ディスプレイ・リング５０６、３つの発光ダイオード（「ＬＥＤ」）５０８〜５１０、ｐｏｔ５０２をＬＥＤ５０８〜５１０に相互接続する電子的接続手段５１２、ＰＣＢ５０４およびディスプレイ・リング５０６をｐｏｔ５０２に対して堅固に保持するためにｐｏｔ５０２と嵌り合うナット５１４を有する。ｐｏｔ５０２は、図３に示される電気ギター回路などの楽器の回路にｐｏｔ５０２を相互接続するリード５１６、およびねじ山を付けられた（図５に示されない）基部を備えるステム５１８を備える。ねじ山を付けられた基部の上にナット５１４をねじ付けることができ、ねじ山を付けられた基部は、改善されたノブ５００を把持し使用するために使用者が使用するノブ・キャップ（図５に示されない）を相互接続するためにも使用できる。ＰＣＢ５０４は、ＰＣＢ５０４がステム５１８を摺動して下りることができるようにステム５１８のねじ山を付けられた基部の周りに嵌合する装着孔５２０を備えて示される。本発明の１つの実施形態では、ＰＣＢ５０４はｐｏｔ５０２に半田付けされる。
【００１９】
ディスプレイ・リング５０６は、ディスプレイ・リング５０６が同様にステム５１８を摺動して下りることができるようにステム５１８のねじ山を付けられた基部の周りに嵌合する中央の孔５２２を備える。ディスプレイ・リング５０６の下側面は、ＬＥＤ５０８〜５１０がその中に配置できる３つの窪み５２４〜５２６を備える。ディスプレイ・リング５０６は、１つまたは複数の接着剤、ならびに／あるいはナット５１４とＰＣＢ５０４および／またはｐｏｔ５０２との間に挟持されることからの圧力などのいくつかの異なる様式で電子的接続手段５１２に取り付けることができる。
【００２０】
図５は、互いに分離され、電子的接続手段５１２の遠位端の付近に配置される３つのＬＥＤ５０８〜５１０のそれぞれを示す。電子的接続手段５１２は、金属ワイヤおよび／またはＰＣＢ／リボン・ケーブルの組合せなどのいくつかの異なる電子伝達材料から製造できる。本発明の別の実施形態では、図９〜１４を参照して下記に論じられるように３つとは異なる数のＬＥＤが使用される。
【００２１】
改善されたノブ５００は、ＬＥＤ５０８〜５１０に電力供給する（図５に示されない）電源も備える。本発明の１つの実施形態では、１つまたは複数のバッテリがｐｏｔ５０２、ＰＣＢ５０４、ＬＥＤ５０８〜５１０、および電子的接続手段５１２と電子的に連絡する。バッテリは、改善されたノブ５００の付近で楽器の内側に配置できる。本発明の１つの実施形態では、１つまたは複数のバッテリが電気ギターの本体の内側の区画内に装着される。本発明の別の実施形態では、バッテリは相互接続されたバッテリ・パックに電気ギターの外で配置される。
【００２２】
図６Ａは、本発明の１つの実施形態を表す図５に示される改善されたノブの側面図を示す。図６Ｂは、本発明の１つの実施形態を表す図６Ａに示す、改善されたノブの上に配置されたノブ・キャップの側面図を示す。改善されたノブ５００が楽器６００に配置される場合、ｐｏｔ５０２のステム５１４は、図６Ｂに点線として示される楽器６００の正面６０２から外側に延びる。ディスプレイ・リング５０６、ナット５１４、およびノブ・キャップ６０４がステム５１８に相互接続し、楽器６００の正面６０２の外部にある。ノブ・キャップ６０４は改善されたノブ５００を使用して調整を行うために使用者によって使用できる。さらに、本発明の１つの実施形態では、ディスプレイ・リング５０６は、使用者が楽器６００を調律するのを補助するために使用者が使用できる情報を示すためのディスプレイとして使用できる。
【００２３】
図６Ａ〜６Ｂでは、ＰＣＢがｐｏｔのステムを摺動して下ろして示される。しかし、ＰＣＢは装着孔を設けずに製造でき、ｐｏｔとディスプレイ・リングの間に挟持された上で、その他の場所に配置できる。その代わりに、ＰＣＢは改善されたノブと電子的に接続して配置され、楽器の内側または外側で、改善されたノブの付近に配置できる。図７Ａは、本発明の１つの実施形態を表す改善されたノブの正面分解図を示す。改善されたノブ７００は、ｐｏｔ７０２、電子的に接続する手段に相互接続された、いくつかのＬＥＤ７０４、ならびにディスプレイ・リング７０６およびＬＥＤ７０４をｐｏｔ７０２に締め付けるナット７０８を有する。図７Ｂは、本発明の１つの実施形態を表す図７Ａに示す改善されたノブの後方分解図である。ディスプレイ・リング７０６の下側面は、図７Ａに示されるＬＥＤ７０４の数に対応するように配置された窪み７１０などのいくつかの窪みを有する。図７Ａ〜７ＢはＰＣＢを改善されたノブ７００のアセンブリの一部分として示さないが、ＰＣＢはｐｏｔ７０２とＬＥＤ７０４と電子的に接続している。
【００２４】
ディスプレイの位置および改善されたノブの機能に応じて、様々なタイプのディスプレイが改善されたノブに使用できる。改善されたノブがチューナ機能を有する場合、改善されたノブは楽器の弦がシャープ、フラット、または調律が合っている場合に表示する。本発明の１つの実施形態では、ディスプレイが図５〜７Ｂに示されるディスプレイ・リングなどのディスプレイ・リングに配置される。ディスプレイ・リングは、点灯するＬＥＤがそれを通して視認できる、プラスチックなどの透明な、半透明な、半不透明な、または不透明な材料から製造できる。図８は、本発明の１つの実施形態を表す改善されたノブ用のディスプレイ・リングのチューナ・ディスプレイの逆さの上面図である。ディスプレイ・リング８０２は、ディスプレイ・リング８０２の外面に、「♭」標識（marking）８０６の標識、「♯」標識８０７の標識、および逆さの二等辺三角形の標識８０８の標識を有するディスプレイ・リング８０２の一方の側面にディスプレイ８０４を備える。集合的に、「♭」、「♯」、および逆さの二等辺三角形の標識は以下に「方向」標識（directional marking）として言及される。ディスプレイ・リング８０２が、楽器を調律しながら使用者がそれを通して方向標識８０６〜８０８を視認できる材料から製造される場合、方向標識８０６〜８０８はディスプレイ・リング８０２の内側または下にも配置できる。方向標識８０６〜８０８は、ＬＥＤ（図５の５０８〜５１０）と位置を合わせることができる。方向標識８０６〜８０８がＬＥＤ（図５の５０８〜５１０）と位置を合わせられた場合、チューナは楽器の所与の演奏された弦がシャープ、フラット、または調律が合っているかどうか表示するために、ディスプレイ・リング８０２の下のＬＥＤ（図５の５０８〜５１０）の照明を利用する。例えば、「♭」標識８０６の下で点灯するＬＥＤは、演奏された弦がフラットであることを示す。あるいは、「♯」標識８０７の下で点灯するＬＥＤは演奏された弦がシャープであることを示し、逆さの二等辺三角形の標識８０８の下で点灯するＬＥＤは演奏された弦が調律が合っていることを示す。
【００２５】
本発明の１つの実施形態では、ディスプレイ・リングの「♯」および「♭」標識の下のＬＥＤに可変の点滅率（ｂｌｉｎｋ  ｒａｔｅ）が使用される。点滅率の周波数は、演奏された弦に望まれる周波数からの演奏された弦の周波数の隔たりに基づいている。例えば、演奏された弦が、演奏された弦に関して調律が合っている周波数の下で所与の隔たりにある場合、「♭」標識の下のＬＥＤは所与の率で点滅する。使用者が対応する弦を締め付け、弦がさらに調律が合った状態になると、「♭」標識の下のＬＥＤは、弦の周波数が調律が合った周波数と一致し、「♭」標識の下のＬＥＤが点滅しなくなるまで、点滅する率が次第に遅くなる。演奏された弦の周波数が調律が合った周波数と一致すると、「♭」標識の下のＬＥＤが点灯しなくなり、逆さの二等辺三角形の標識の下のＬＥＤが点灯する。本発明の別の実施形態では、演奏された弦の周波数が所望の周波数に到達すると点滅率が増加する。
【００２６】
図８およびいくつかのそれに続く図では、ディスプレイ・リングのディスプレイは、改善されたノブが電気ギターに配置された場合に使用する目的で配置されて示される。電気ギターを装着し、上から改善されたノブを見る使用者に対してディスプレイが正しい向きになって可視であるように、ディスプレイは逆さでありディスプレイ・リングの頂部に向かっている。ディスプレイ・リング上のディスプレイの位置は、調律される楽器のタイプ、および／または楽器または増幅器の改善されたノブの配置に応じて変更できる。使用者がノブ・キャップを回転させる場合、ディスプレイ・リングは定位置に固定され、静止した状態なので、ノブ・キャップを配置してもディスプレイ・リングのディスプレイの配置に影響を与えないことに留意されたい。
【００２７】
図９は、本発明の１つの実施形態を表す、改善されたノブ用のディスプレイ・リングの第１のギター・チューナ・ディスプレイの逆さの上面図である。表示リング９０２は、表示リング９０２上にある、その中にある、またはその下にある方向標識９０６〜９０８を備えるギター・チューナ・ディスプレイ９０４を有する。さらに、ギター・チューナ・ディスプレイ９０４は、標準的な６弦ギターの各弦の標識「Ｅ」９１０、「Ａ」９１１、「Ｄ」９１２、「Ｇ」９１３、「Ｂ」９１４、および「ｅ」９１５を備える。集合的に、楽器の弦を表す標識は以下に「弦」標識として言及される。各弦標識９１０〜９１５はディスプレイ・リング９０２上、その中、またはその下に配置できる。図１０を参照して下記に示されるように、個別のＬＥＤを各弦標識９１０〜９１５の下に配置できる。調律セッションの間、弦が調律されたことを示すために、弦標識９１０〜９１５のうちの１つの下のＬＥＤのうちの１つが点灯する。例えば、使用者が改善されたノブを装備した電気ギターの「Ｇ」弦を調律したい場合、使用者は改善されたノブをチューナ機能に切り替え、電気ギターの「Ｇ」弦を演奏する。ディスプレイ・リング９０２の「Ｇ」標識９１３の下のＬＥＤが点灯する。さらに、「Ｇ」弦がシャープである場合、「♯」標識９０７の下のＬＥＤも点灯する。さらに、「Ｇ」弦がフラットである場合、「♭」標識９０６の下のＬＥＤが点灯する。「Ｇ」弦の調律が合うと、逆さの二等辺三角形の標識９０８の下のＬＥＤが点灯する。
【００２８】
図１０は、本発明の１つの実施形態を表す、改善されたノブ用のディスプレイ・リングの第２のギター・チューナ・ディスプレイの逆さの上面図である。ディスプレイ・リング１００２がギター・チューナ・ディスプレイ１００４を有する。ギター・チューナ・ディスプレイ１００４は、ディスプレイ・リング１００２上、その中、またはその上の各標識１００６〜１０１４の下に、３つの異なる色のＬＥＤのうちの１つを備える。「♭」標識１００６の下のＬＥＤ、および「♯」標識１００７の下のＬＥＤは、クロスハッチングによって示されるように、赤などの第１の色である。逆さの二等辺三角形１００８の標識の下のＬＥＤは点を付けて示されるような緑などの第２の色であり、「Ｅ」１００９、「Ａ」１０１０、「Ｄ」１０１１、「Ｇ」１０１２、「Ｂ」１０１３、および「ｅ」１０１４の弦標識の下の個別のＬＥＤは、水平線で示されるような黄色などの第３の色である。本発明の別の実施形態では、異なる色のＬＥＤまたは多色のＬＥＤが利用される。様々な寸法および輝度のＬＥＤが同様に使用できる。
【００２９】
本発明の別の実施形態では、３弦電気バラライカ、４弦電気ウクレレ、５弦電気バンジョー、８弦電気マンドリン、４６弦電気ペダルハープ、およびその他の電気弦楽器を含む、様々なタイプの楽器に対処するために弦標識は数および音符が異なる。図１１は、本発明の１つの実施形態を表す、改善されたノブ用のディスプレイ・リングのベース・チューナ・ディスプレイの逆さの上面図を示す。ディスプレイ・リング１１０２がベース・チューナ・ディスプレイ１１０４を有する。ベース・チューナ・ディスプレイ１１０４は、図１０を参照する上記に論じたギター・チューナ・ディスプレイ１００２と同様である。ベース・チューナ・ディスプレイ１１０４は、「♭」標識１１０６および「♯」標識１１０７の下の第１の色のＬＥＤ、および逆さの二等辺三角形の標識１１０８の下の第２の色の１つまたは複数のＬＥＤを含む。しかし、ベース・チューナ・ディスプレイ１１０４は６弦電気ベースと共に使用するために設計され、６弦電気ベースの弦に対応する第３の色の弦標識１１０９〜１１１４を有する。
【００３０】
本発明の１つの実施形態では、改善されたノブは楽器の弦の代わりに半音階の音に関する標識を利用する。図１２は、本発明の１つの実施形態を表す改善されたノブ用のディスプレイ・リングの半音階チューナ・ディスプレイの逆さの上面図を示す。ディスプレイ・リング１２０２が半音階チューナ・ディスプレイ１２０４を有する。半音階チューナ・ディスプレイ１２０４は、「♭」標識１２０６および「♯」標識１２０７の下の第１の色のＬＥＤ、および逆さの二等辺三角形の標識１２０８の下の第２の色の１つまたは複数のＬＥＤを含む。しかし、楽器の弦に対応する標識を含む代わりに、半音階チューナ・ディスプレイ１２０４は、半音階のそれぞれの音に関する「半音階」標識を備える。標準的な１２音の半音階の音には「Ａ」、「Ａ♯／Ｂ♭」、「Ｂ」、「Ｃ」、「Ｃ♯／Ｄ♭」、「Ｄ」、「Ｄ♯／Ｅ♭」、「Ｅ」、「Ｆ」、「Ｆ♯／Ｇ♭」、「Ｇ」、および「Ｇ♯／Ａ♭」が含まれる。
【００３１】
本発明の１つの実施形態では、半音階チューナ・ディスプレイ１２０４は、半音階での各全音「Ａ」１２０９、「Ｂ」１２１０、「Ｃ」１２１１、「Ｄ」１２１２、「Ｅ」１２１３、「Ｆ」１２１４、および「Ｇ」１２１５、ならびに「♯」標識１２１６に対して第３の色の上記のＬＥＤの標識を含むことによって半音階の標識の数を減らす。半音階の全音１２０９〜１２１５および「♯」標識１２１６は、楽器で演奏される音に対して半音階で最も近い音を表示するために、連係して使用できる。使用者は、楽器の音を演奏することができ、演奏されている音に対して最も近い半音階の音を確認するために半音階の標識１２０９〜１２１６を目視し、次いで演奏されている音が最も近い半音階の音にシャープ、フラット、または調律が合っているかどうか確認するために方向標識１２０６〜１２０８を目視する。例えば、使用者が電気ギターの所与の弦を「Ｃ」に調律したい場合、使用者は電気ギターで「Ｃ」を演奏する。ＬＥＤが半音階チューナ・ディスプレイ１２０４の「Ｃ」標識１２１１の下で点灯する。さらに、方向標識１２０６〜１２０８のうちの１つは、演奏された音が「Ｃ」にシャープ、フラット、または調律が合っているかどうか示すために点灯する。使用者が所与の弦の調律を例えば「Ｃ♯／Ｄ♭」に合わせたい場合、「Ｃ」標識１２１１および「♯」標識１２１６の両方の下のＬＥＤが点灯する。さらに、方向標識１２０６〜１２０８のうちの１つは、演奏された音が「Ｃ＃／Ｄ♭」の周波数にシャープ、フラット、または調律が合っているかどうか示すために点灯する。使用者は、楽器に関して変則的な弦の調律を使用者が行うのを助けるために、半音階チューナ・ディスプレイ１２０４を使用することができる。例えば、使用者は「ｅ」弦が「Ｄ」の周波数に低下されるように、電気ギターで「ドロップＤ」チューニングを行うために半音階チューナ・ディスプレイ１２０４を使用できる。使用者は「オープンＧ」チューニング、「ローＣ」チューニング、およびその他の変則チューニングなどのその他の変則チューニングを行うために、半音階チューナ・ディスプレイを使用することもできる。
【００３２】
図１３は、本発明の１つの実施形態を表す改善されたノブ用のディスプレイ・リングの液晶ディスプレイの逆さの上面図を示す。ディスプレイ・リング１３０２は液晶ディスプレイ器１３０４（「ＬＣＤ」）などの文字および／または数を含むディスプレイを有する。ＬＣＤ１３０４は、使用者によって演奏されている音に最も近い半音階の音１３０６を示す。さらに、ＬＣＤ１３０４は、演奏された弦の、最も近い半音階の音１３０６からの周波数での隔たり１３０８を示す。図１３では、最も近い半音階の音１３０６は、「Ｃ♯」として示され、演奏された弦は現在「Ｃ♯」の１２セント上である。本発明の別の実施形態では、真空蛍光表示管、有機ＬＥＤ表示装置、ドットマトリックス・ディスプレイ、７セグメントＬＥＤ表示装置、および文字および／または数を含むのに適したその他のタイプのディスプレイを含む文字および／または数を含む異なるタイプの表示が、最も近い半音階の音１３０６および演奏された弦に最も近い半音階の音１３０６に対する周波数の隔たり１３０８を示すために、ＬＣＤの代わりに使用できる。さらに、ＬＣＤはＬＥＤと組み合わせて使用できる。例えば、ＬＣＤは演奏される最も近い標準音階の音を表す文字を示すのに使用でき、演奏されている弦がシャープ、フラット、または調律が合っているかどうか示すために方向性（directional)ＬＥＤが使用できる。
【００３３】
図１４は、本発明の１つの実施形態を表す改善されたノブ用のディスプレイ・リングのストロボリング・ディスプレイの上面図を示す。ディスプレイ・リング１４０２は、ディスプレイ・リング１４０２の周辺部の周りに１６個のＬＥＤ１４０４〜１４１９のリングを有する。改善されたノブがチューナ機能に切り替えられている間に、使用者が楽器の弦を演奏する場合、ＬＥＤ１４０４〜１４１９は演奏された弦がシャープ、フラット、または調律が合っているかどうか決定するのに使用できる。本発明の１つの実施形態では、各ＬＥＤが、前に一方の側のＬＥＤが閃光し、後でもう一方の側の隣接するＬＥＤが閃光して、「チェーシング（chasing）」効果を生み出すように、ＬＥＤは一時的にずれた様式で閃光する。「チェース（chase）」の方向は、演奏された弦がシャープまたはフラットであるかどうか示すのに使用できる。「チェース」の速度は、シャープ度またはフラット度の大きさを示すのに使用できる。例えば、反時計回りの「チェース」は演奏された弦がシャープであることを示すことができ、時計回りの「チェース」は演奏された弦がフラットであることを示すことができる。使用者が弦を緩めるために対応する調律ペグを回転すると、弦はより調律が合った状態になる。その結果、「チェース」が止むように見え、したがって弦が調律が合っていることを示すまで、「チェース」の速度が低下する。本発明の別の実施形態では、弦がより調律が合った状態になると「チェース」の速度が増加する。図１４は、ディスプレイ・リング１４０２の周辺部の周りの１６個のＬＥＤ１４０４〜１４１９を示すが、可変の数のＬＥＤが使用できる。さらに、様々な色および輝度のＬＥＤが同様に使用できる。
【００３４】
図８〜１４を参照して上記に論じた各ディスプレイは、ディスプレイ・リングを利用する。本発明の別の実施形態では、ディスプレイ・リングを組み込まない様々なディスプレイが利用される。本発明の１つの実施形態では、１つまたは複数の照明管が楽器および／または増幅器の本体（図１の１０６）内にドリル加工される。文字および／または数を含むＬＥＤおよびディスプレイなどの様々な異なるディスプレイが１つまたは複数の照明管の内に配置でき、弦がシャープ、フラット、または調律が合っているかどうか示すのに使用できる。１つまたは複数の照明管は、ディスプレイが使用者によって最も一般に使用される視野角を含む、狭い角度範囲からのみ可視であるように角度を付けることができる。本発明の別の実施形態では、ポップアウト・ディスプレイが使用される。ポップアウト・ディスプレイは楽器および／または増幅器の内側に装着され、使用者がノブ、ラッチ、またはその他の要素を押し下げるとき、使用者に可視になる。ポップアウト・ディスプレイは、ディスプレイが使用者によって最も一般に使用される視野角を含む、狭い角度範囲からのみ可視であるように角度を付けることができる。
【００３５】
図１５は、本発明の１つの実施形態を表す改善されたノブ用のチューナ回路の概略図である。チューナ回路１５００は、振動する弦からの入力信号の基本的な周波数を決定し、入力信号の周波数を最も近い記憶された音と比較するアルゴリズムによってプログラムされたプロセッサ１５０２を有する。記憶された音は、標準音階の音、またはその他の音、すなわち例えば標準音階の５０ヘルツ上の基準音などであることができることに留意されたい。プロセッサ１５０２によって利用される記憶された音の周波数は、どのタイプの楽器が調律され、どのタイプのディスプレイが利用されるかに応じて変更できる。例えば、電気ギター用のギター・チューナ・ディスプレイ、および６弦電気ベース用のベース・チューナ・ディスプレイは両方とも、６弦に対応するプロセッサ１５０２に記憶される６つの音を有することができる。しかし、記憶された音の周波数は、電気ギター用と６弦電気ベース用とで異なる可能性がある。半音階チューナ・ディスプレイは、標準的な半音階の１２個の音に対応するプロセッサ１５０２に記憶された１２個の音を有することができる。
【００３６】
本発明の１つの実施形態では、プロセッサ１５０２はアナログ入力信号をデジタル信号に変換し、入力信号の基本周波数を決定するためにデジタル信号の零交差を数えるアナログ・デジタル変換器を有する。本発明の別の実施形態では、零交差を数えるためにシュミット・トリガが使用される。本発明の別の実施形態では、整数フーリエ変換（ｉｎｔｅｇｅｒ  Ｆｏｕｒｉｅｒ  ｔｒａｎｓｆｏｒｍｓ）、浮動点フーリエ変換（ｆｌｏａｔｉｎｇ  ｐｏｉｎｔ  Ｆｏｕｒｉｅｒ  ｔｒａｎｓｆｏｒｍｓ）、およびその他の基本周波数決定方法などの入力信号の基本周波数を決定する異なる方法が利用される。プロセッサ１５０２は、入力信号が任意の記憶された音の上および下の所定の閾値範囲内にあるかどうか決定する。入力信号が記憶された音の所定の閾値範囲内にある場合、振動する弦は記憶された音に調律が合っていると見なすことができる。入力信号が、最も近い記憶された音より上で所定の閾値よりも高い場合、振動する弦はシャープであると見なされる。入力信号が、最も近い記憶された音より下で所定の閾値よりも低い場合、振動する弦はフラットであると見なされる。図８〜１４を参照して上記に論じたディスプレイのうちの１つなどの比較の結果がディスプレイに出力される。
【００３７】
図１６Ａは、本発明の１つの実施形態を表す改善されたノブのプロセッサによる調律操作の制御流れ図を示す。ステップ１６０２で、プロセッサの設定が開始される。ステップ１６０４で、プロセッサは入力信号を待機する。ステップ１６０６で入力信号がない場合、制御がステップ１６０４に戻される。あるいは、ステップ１６０８で、プロセッサは入力信号の基本周波数を決定する。ステップ１６１０で、プロセッサは入力信号の周波数を記憶された音の周波数と比較することによって最も近い記憶された音を決定する。ステップ１６１２で、入力信号が所定の閾値の量を超えて、最も近い記憶された音よりも高い場合、制御がステップ１６１４に渡され、「♯」標識の下のＬＥＤが点灯する。ステップ１６１４で「♯」標識の下のＬＥＤが点灯した後に、制御がステップ１６１６に渡され、点灯するＬＥＤの点滅率が、最も近い記憶された音に対する入力信号の周波数の隔たりに基づいて決定される。ステップ１６１２で、入力信号が、最も近い記憶された音の上で、所定の閾値の量でない場合、制御がステップ１６１８に渡される。ステップ１６１８で、入力信号が所定の閾値の量を超えて、最も近い記憶された音よりも低い場合、制御がステップ１６２０に渡され、「♭」標識の下のＬＥＤが点灯する。ステップ１６２０で「♭」標識の下のＬＥＤが点灯した後に、制御がステップ１６１６に渡され、点灯するＬＥＤの点滅率が決定される。ステップ１６１８で、入力信号が最も近い記憶された音の下で所定の閾値量でない場合、制御がステップ１６２２に渡され、逆さの二等辺三角形の標識の下のＬＥＤが所定の長さの時間の間点灯され、制御がステップ１６０４に戻される。本発明の別の実施形態では、逆さの二等辺三角形の標識の下のＬＥＤは、入力信号の強度が閾値の受信値（threshold reception value）の下に低下するまで点灯されたままになる。
【００３８】
図１６Ｂは、本発明の１つの実施形態を表すストロボリング・ディスプレイを備える、改善されたノブのプロセッサによる調律操作の制御流れ図を示す。ステップ１６２４で、プロセッサの設定が開始される。ステップ１６２６で、プロセッサは入力信号を待機する。ステップ１６２８で、入力信号がない場合、制御がステップ１６２６に戻される。あるいは、ステップ１６３０で、プロセッサは入力信号の基本周波数を決定する。ステップ１６３２で、プロセッサは入力信号の周波数を記憶された音の周波数と比較することによって最も近い記憶された音を決定する。ステップ１６３４で、入力信号が所定の閾値の量を超えて、最も近い記憶された音よりも高い場合、制御がステップ１６３６に渡され、第１の方向に「チェース」を形成するために、ＬＥＤのリングが繰り返し閃光するように指示される。ＬＥＤのリングがステップ１６３６で閃光するように指示された後に、制御がステップ１６３８に渡され、閃光するＬＥＤに関する「チェース」率は、最も近い記憶された音に対する入力信号の周波数の隔たりに基づいて決定される。ステップ１６３４で、入力信号が、最も近い記憶された音の上で、所定の閾値の量でない場合、制御がステップ１６４０に渡される。ステップ１６４０で、入力信号が所定の閾値の量を超えて、最も近い記憶された音よりも低い場合、制御がステップ１６４２に渡され、第２の方向に「チェース」を形成するために、ＬＥＤのリングが繰り返し閃光するように指示される。ＬＥＤのリングがステップ１６４２で閃光するように指示された後に、制御がステップ１６３８に渡され、閃光するＬＥＤに関する「チェース」率は、最も近い記憶された音に対する入力信号の周波数の隔たりに基づいて決定される。ステップ１６４０で、入力信号が、最も近い記憶された音の下で、所定の閾値の量でない場合、制御がステップ１６２６に戻される。
【００３９】
本発明の１つの実施形態では、楽器のボリューム・ノブに、ボリューム機能およびメトロノーム機能を有する改善されたノブが取って代わる。メトロノーム機能は、楽器と共に演奏するテンポを確立するのに使用できる。テンポは、一連のタイミングを決められた、繰り返すビートを生成することによって確立される。図１７は、本発明の１つの実施形態を表すメトロノーム機能を備える、改善されたノブがボリューム・ノブに取って代わった楽器の回路の概略図を示す。図１７では、改善されたノブ１７００はボリューム機能およびメトロノーム機能を囲む点線の円として示される。改善されたノブ１７００は、ボリューム機能とメトロノーム機能の間で切り替えるスイッチ１７０２を有する。ボリューム機能およびメトロノーム機能の両方が使用者により制御される。したがって、使用者は、ボリューム機能を選択し、制御し、またはメトロノーム機能に切り替えるために改善されたノブ１７００を使用することができ、共に演奏するビートを選択するために改善されたノブ１７００を使用できる。上述のように、図４Ａおよび４Ｂを参照して、本発明の別の実施形態では、その代わりに、改善されたノブは増幅器のノブに取って代わり、または楽器もしくは増幅器の付加された特徴になることができる。
【００４０】
メトロノーム機能が選択された後に、使用者は１分間当たりの所望のビート（「ＢＰＭ」）を選択できる。本発明の１つの実施形態では、ビートは改善されたノブによって生成された繰り返す信号として、かつ繰り返す聴覚信号として相互接続された増幅器への出力として使用者に聴覚的に示される。点線１７０４は、メトロノーム機能は、選択された数のＢＰＭが増幅器および相互接続されたスピーカに出力できるように、出力ジャック１７０６と電子的に接続して配置できることを示す。チャイム、クリック、クラベス、チック音（ｔｉｃｋｓ）、チン音（ｃｈｉｎｇｓ）、タック音（ｔｏｃｋｓ）、およびその他の可聴音を含む、様々な異なる可聴音が出力できる。さらに、出力可聴音のボリュームは、使用者が楽器と共に演奏される音楽の音のレベルに適切な音のレベルでビートを聞くことができるように調整できる。
【００４１】
本発明の別の実施形態では、視覚ディスプレイを使用して各ビートの発生を視覚的に示すことができる。本発明の別の実施形態では、ビートは可聴信号、視覚信号、または可聴信号と視覚信号の両方によって示される。図１８は、本発明の１つの実施形態を表す、改善されたノブ用のディスプレイ・リングの第１のメトロノーム・ディスプレイの逆さの上面図を示す。ディスプレイ・リング１８０２は、ＬＣＤ１８０４、およびＬＣＤ１８０４の側面に位置する２つのＬＥＤ１８０５および１８０６などの文字および／または数を含むディスプレイを有する。ＬＣＤ１８０４は、選択された数のＢＰＭ１８０８を示す。図１８では、「１２０ＢＰＭ」が選択されている。ある数のＢＰＭが選択された場合、ＬＥＤ１８０５および１８０６がそれぞれ所定の時間の長さの間、各ビートに合わせて点灯する。本発明の別の実施形態では、ＬＥＤ１８０５および１８０６は各ビートに合わせて交互に点灯する。例えば、第１のビートのときＬＥＤ１８０５が点灯し、第２のＬＥＤ１８０６が消灯したままになり、第２のビートのときＬＥＤ１８０６が点灯し、第２のＬＥＤ１８０５が消灯したままになる。ＬＣＤが図１８およびその後の図に示されるが、本発明の別の実施形態では、真空蛍光表示管、有機ＬＥＤ表示装置、ドットマトリックス・ディスプレイ、７セグメントＬＥＤ表示装置、ならびに文字および／または数を表示するのに適したその他のタイプのディスプレイを含む、文字および／または数を含む異なるタイプのディスプレイがＬＣＤの代わりに使用できる。
【００４２】
図１９は、本発明の１つの実施形態を表す、改善されたノブ用のディスプレイ・リングの第２のメトロノーム・ディスプレイの逆さの上面図を示す。ディスプレイ・リング１９０２は、選択された数のＢＰＭ１９０６を示すＬＣＤ１９０４などの文字および／または数を含むディスプレイ、およびＬＣＤ１９０４の付近のＬＥＤ１９０８などの８つのＬＥＤを有する。ＬＥＤは、それぞれ図１０および１１に示されるディスプレイ・リング１００２および１１０２を参照して、上述のＬＥＤと同様に配置されて示される。図１９に示されるＬＥＤは、ＬＥＤがそれぞれ同じ色であることを示すために同じ水平の線によって示される。しかし、複数の色が使用できる。さらに、様々な寸法および輝度のＬＥＤが使用できる。ある数のＢＰＭが選択された場合、図１９に示されるＬＥＤがそれぞれ所定の時間の長さの間、各ビートに合わせて点灯する。本発明の別の実施形態では、第１の側のＬＥＤが偶数のビートのときに点灯し、第２の側のＬＥＤが奇数のビートのときに点灯する。
【００４３】
図２０は、本発明の１つの実施形態を表す、改善されたノブ用のディスプレイ・リングの第３のメトロノーム・ディスプレイの逆さの上面図を示す。ディスプレイ・リング２００２は、選択された数のＢＰＭ２００６を示すＬＣＤ２００４などの文字および／または数を含むディスプレイを有する。ディスプレイ・リング２００２は、その周辺部の周りにリングを形成するＬＥＤ２００８などの１６個のＬＥＤも有する。ＬＥＤは、図１４に示されるディスプレイ・リング１４０２を参照して、上述のＬＥＤと同様に配置されて示される。ある数のＢＰＭが選択された場合、図２０に示されるＬＥＤがそれぞれ所定の時間の長さの間、各ビートに合わせて点灯する。本発明の別の実施形態では、第１の側のＬＥＤが偶数のビートのときに点灯し、第２の側のＬＥＤが奇数のビートのときに点灯する。本発明の別の実施形態では、図２０のＬＥＤは、ディスプレイ・リング２００２の周辺部の周りのそれぞれの完全な「チェース」が各ビートと一致するように、「チェース」を形成するために点滅する。本発明の別の実施形態では、ディスプレイ・リング２００２はＬＣＤ２００４を備えない。
【００４４】
本発明の別の実施形態では、選択されたビートにアクセントが加えられる。アクセントは、特徴的な視覚および／または聴覚信号によって使用者に合図できる。アクセントは、計量を表すために「強い」および「弱い」ビートを形成するのに使用でき、リズム的な感知を向上させるために使用できる。図２１は、本発明の１つの実施形態を表すアクセント・コントローラを備える、図２０に示された第３のメトロノーム・ディスプレイの逆さの上面図を示す。ディスプレイ・リング２１０２は、ＬＣＤ２１０４などの文字および／または数を含むディスプレイ、ならびにＬＥＤ２１０６〜２１０９などのディスプレイ・リング２１０２の周辺部の周りのリングを形成するいくつかのＬＥＤを有する。ＬＣＤ２１０４は選択された数のＢＰＭ２１１２を表示し、そのビートがアクセントを付けられているか２１１４も示す。図２１では、「１２０」のＢＰＭが選択され、「第４番目」毎にビートがアクセントを付けられるように選択される。様々な率の繰り返しが、アクセントなし、ビート毎のアクセント、または第Ｎ番目毎のアクセントを含むアクセントに対して選択でき、ここでＮは１より大きな任意の整数と等しい。本発明の別の実施形態では、「強い」ビートおよび「弱い」ビートに加えて、５／４または７／８などの変拍子標識を選択する選択肢が可能になる第３の別の様式のビートが使用できる。
【００４５】
多くの異なるディスプレイを利用して、「強い」ビートを「変拍子標識」のビートからの「弱い」ビートを視覚的に区別するのに利用できる。本発明の１つの実施形態では、「強い」ビートはディスプレイ・リング２１０２が一斉に閃光してすべてのＬＥＤによって示され、「弱い」ビートはＬＥＤ２１０６〜２１０９などのＬＥＤの一部のみが閃光することによって示される。「変拍子標識」のビートが必要な場合、「変拍子標識」のビートは単一のＬＥＤの閃光によって示すことができる。図２１では、ＬＥＤ２１０６〜２１０９が点灯されたことを示すためにＬＥＤ２１０６〜２１０９が点を付けて示される。本発明の別の実施形態では、「強い」ビートがディスプレイ・リング２１０２の周辺部の周りを一回転「チェース」することによって示され、「弱い」ビートはすべてのまたは一部分のＬＥＤが閃光することによって示される。「変拍子標識」のビートが必要な場合、「変拍子標識」のビートは単一のＬＥＤの閃光によって示すことができる。本発明の別の実施形態では、様々な寸法、輝度、および／または色のＬＥＤを使用して、「強い」ビートを「変拍子標識」のビートからの「弱い」ビートから識別するのに使用される。アクセントは任意の様々なメトロノーム・ディスプレイと共に利用できることに留意されたい。聴覚のビートが利用される場合、「強い」、「弱い」、および「変拍子標識」のビートが、各タイプのビートに対して異なる音および／またはボリュームを使用することによって識別可能である。
【００４６】
本発明の１つの実施形態では、ＢＰＭおよび／またはアクセントが、電気ギターの本体の改善されたノブ以外の１つまたは複数のノブなどの１つまたは複数の制御装置を使用して調整できる。本発明の別の実施形態では、ＢＰＭは、ＢＰＭの数を増加させるために改善されたノブを第１の方向に回転させ、ＢＰＭの数を低下させるために改善されたノブを第２の方向に回転させることによって調整できる。アクセントが利用可能な場合、追加の制御機構を加えるために、１つまたは複数の回り止めを改善されたノブに配置して、アクセントを調整するために使用できる。本発明の別の実施形態では、ＢＰＭが二重の弦のつま弾きによって設定される。使用者は改善されたノブをメトロノーム機能および弦の二重のつま弾きに切り替えることによってＢＰＭを調整できる。２つのつま弾きの間の期間は、それに続くビートの間の期間として使用される。
【００４７】
図２２は、本発明の１つの実施形態を表す、メトロノーム機能を備える改善されたノブの分解図を示す。メトロノーム機能を備える改善されたノブ２２００は、ｐｏｔ２２０２、ＰＣＢ２２０４、ディスプレイ・リング２２０６、２つのＬＥＤ２２０８および２２０９、ｐｏｔ２２０２をＬＥＤ２２０８および２２０９に相互連絡する電子的な接続手段２２１２、ならびにＰＣＢ２２０４およびディスプレイ・リング２２０６をｐｏｔ２２０２に対して強く保持するためにｐｏｔ２２０２と嵌り合うナット２２１４を有する。ｐｏｔ２２０２は、図３に示される電気ギター回路などの楽器の回路にｐｏｔ２２０２を相互接続するリード２２１６、およびその上にナット２２１２をねじ付けることができ、改善されたノブ２２００を把持し使用するために使用者が使用するノブ・キャップ（図２２に示されない）を相互接続するためにも使用できる、ねじ山を付けられた（図２２に示されない）基部を備えるステム２２１８を備える。ＰＣＢ２２０４は、ＰＣＢ２２０４がステム２２１８を摺動できるようにステム２２１８のねじ山を付けられた基部の周りに嵌合する装着孔２２２０を備えて示される。さらに、ディスプレイ・リング２２０６は、ディスプレイ・リング２２０６が同様にステム２２１８を摺動できるようにステム２２１８のねじ山を付けられた基部の周りに嵌合する中央の孔２２２２を備える。ディスプレイ・リング２２０６の下側面は、ＬＥＤ２２０８および２２０９がその中に配置できる２つの窪み２２２４および２２２５を備える。本発明の別の実施形態では、改善されたノブはチューナ機能およびメトロノーム機能の両方を有する。２つの同心のシャフトのｐｏｔは、単一の改善されたノブに両方の機能を対応するために使用できる。第１の実施形態では、チューナおよびメトロノームは両方とも同じディスプレイ・リングを利用する。第２の実施形態では、チューナおよびメトロノームは両方とも個別のディスプレイ・リングを利用する。複数のディスプレイ・リングが利用される場合、ディスプレイ・リングはｐｏｔのステムに沿って互いの頂部に積み重ねることができる。
【００４８】
本発明の１つの実施形態では、改善されたノブは、ビートをいつ示すか決定するためのプロセッサの内部クロックのクロック・サイクルを数えるアルゴリズムによってプログラムされたプロセッサを有する。図２３は、本発明の１つの実施形態を表す、改善されたノブのプロセッサによるメトロノーム操作の制御流れ図を示す。ステップ２３０２で、プロセッサの設定が開始される。ステップ２３０４ではプロセッサは使用者がＢＰＭの数を選択するのを待機する。ステップ２３０６でＢＰＭの数が選択されなかった場合、制御がステップ２３０４に戻される。あるいは、ステップ２３０８で、各ビートの間に生じるクロック・サイクル数が決定される。ステップ２３１０で、プロセッサはクロック・サイクルを数える。ステップ２３１２でより多くのクロック・サイクルがビートの前に必要である場合、制御が２３０８に戻される。あるいは、ステップ２３１４で、表示に所定の長さの時間の間１つまたは複数のＬＥＤを点灯し、かつ／または所定の長さの時間の間可聴の音を生成するために相互接続された増幅器に信号を送ることにより、ビートの発生が示される。ステップ２３１６で新しいＢＰＭの数が選択された場合、制御がステップ２３０８に戻される。あるいは、ステップ２３１８で、使用者がメトロノーム機能を切断した場合、メトロノーム機能が停止する。あるいは、制御がステップ２３１０に戻される。
【００４９】
本発明の１つの実施形態では、楽器のボリューム・ノブに代わって、ボリューム機能および動的な視覚ディスプレイ機能を有する改善されたノブになる。図２４は、本発明の１つの実施形態を表す、視覚ディスプレイ機能を備える改善されたノブに代わったボリューム・ノブを備える楽器の回路の概略図を示す。図２４では、改善されたノブ２４００はボリューム機能および動的な視覚ディスプレイ機能を囲む点線の円として示される。改善されたノブ２４００は、ボリューム機能と動的な視覚ディスプレイ機能の間で切り替えるスイッチ２４０２を有する。ボリューム機能および動的な視覚ディスプレイ機能の両方が使用者により制御される。したがって、使用者は、ボリューム機能を選択し、制御し、または動的な視覚ディスプレイ機能に切り替えるために改善されたノブ２４００を使用でき、動的な視覚ディスプレイを形成するために改善されたノブ２４００を使用できる。上述のように、図４Ａおよび４Ｂを参照して、本発明の別の実施形態では、その代わりに、改善されたノブは、増幅器のノブに取って代わり、または楽器もしくは増幅器の付加された特徴になることができる。
【００５０】
図２５は、本発明の１つの実施形態を表す、改善されたノブ用のディスプレイ・リングの光ディスプレイの図を示す。ディスプレイ・リング２５０２は、ディスプレイ・リング２５０４の周辺部の周りにＬＥＤ２５０４などの３つのＬＥＤのリングを有する。本発明の別の実施形態では、様々な数のＬＥＤがディスプレイ・リング２５０２の周辺部の周りで使用される。ＬＥＤは、様々な色、寸法、および／または輝度のものであることもできる。相互接続されたプロセッサが、各ＬＥＤをいつ閃光させるか決定するためにクロック・サイクルを数えることによって、いくつかの異なるパターンでＬＥＤを自動的に閃光させるようにプログラムされる。相互接続されたプロセッサは、製造業者、配給業者、小売業者、使用者、またはその他の主体を含む、配給経路に沿った様々な主体によってプログラムできる。相互接続されたプロセッサは、プリセット・パターン、ランダム・パターン、演奏される音楽に従って変わるパターン、また上記に挙げたパターンのうちの２つ以上の組合せでＬＥＤを閃光させるようにプログラムできる。単一の改善されたノブに光ディスプレイ機能をさらなる機能と結びつけるために、２つ以上の同心のシャフトを備えるｐｏｔが改善されたノブによって利用できる。本発明の別の実施形態では、光ディスプレイ機能と共に使用するための図２５に示されるＬＥＤの配置をメトロノーム機能および／またはチューナ機能に使用することもできる。同様に、図８〜１４および１８〜２１に示されるＬＥＤ配置は、光ディスプレイ機能にも使用できる。
【００５１】
改善されたノブが２つ以上の機能を備える場合、改善されたノブは、使用者が多数の機能の間で切り替えることができるようにする適切な多機能スイッチを有する。様々な実施形態では、それぞれの機能は１つまたは複数のディスプレイ・リングを利用する。複数のディスプレイ・リングが利用される場合、ディスプレイ・リングはｐｏｔのステムに沿って互いの頂部に積み重ねることができる。本発明の別の実施形態では、異なる機能を備える複数の改善されたノブが組み合わせて使用される。例えば、楽器および相互接続された増幅器は、異なる機能を備える２つの改善されたノブを装備できる。楽器のボリューム・ノブに、ボリューム機能およびメトロノーム機能を備える第１の改善されたノブが取って代わることができる。一方で、相互接続された増幅器は、チューナ機能および視覚ディスプレイ機能を備える付加的な特徴である改善されたノブを有することができる。
【００５２】
改善されたノブは２つ以上の楽器で使用できる。例えば、改善されたノブが増幅器に配置され、ギター・チューナ機能を有する場合、第１の電気ギターが電気ギター・ケーブルによって増幅器に相互接続でき、第１のギターが調律できる。それに続いて、同じ電気ギター・ケーブルまたは異なる電気ギター・ケーブルを使用して、第２の電気ギターが増幅器に相互接続され、調律できる。あるいは、ギター・チューナ機能を備える改善されたノブが第１の電気ギターに配置される場合、第１および第２の電気ギターの出力ジャックに電気ギター・ケーブルを接続することにより、第２の電気ギターを第１の電気ギターに相互接続することによって第２の電気ギターが調律できる。
【００５３】
本発明の趣旨の中のさらなる変更形態が当分野の技術者に明らかになる。例えば、様々なディスプレイで使用される表示および照明の寸法、着色、および輝度が変更できる。ディスプレイ・リングを製造するために使用される材料も同様に変更できる。弦が調律が合っていることを示すために、逆さの二等辺三角形の標識以外にその他の標識が使用できる。楽器に所望の外観を形成するために、様々な形状および寸法のノブ・キャップが使用できる。既存のノブに取って代わる改善されたノブの楽器または増幅器への配置は、既存のノブの配置によって設定できる。しかし、付加的な特徴である、楽器または増幅器への改善されたノブの配置は、変更可能なものであることができ、使用者の要望、および楽器または増幅器の寸法、形状、および配線に応じるものであることができる。
【００５４】
例示の目的で、前述の詳細な説明は、本発明の完全な理解をもたらすために特定の学術用語を使用した。しかし、本発明を実施するためには特定の詳細は必要でないことが、当分野の技術者には明らかになる。したがって、本発明の特定の実施形態の前述の説明は、例示および説明の目的で提示され、それらは網羅的ではなく、開示された形態そのものに本発明を限定するものではない。おそらく、多くの実施形態および変形形態が上述の教示に照らして可能である。実施形態は、本発明の原理およびその具体的な用途を最もよく説明するために選択され、説明され、それによって当分野の技術者が本発明および企図される特定の使用に適した様々な変更形態を伴う様々な実施形態を最もよく利用できるようにする。
【図面の簡単な説明】
【００５５】
【図１】電気ギターの正面図である。
【図２】増幅器に相互接続された電気ギターの図である。
【図３】例示の電気ギター回路の概略図である。
【図４Ａ】本発明の１つの実施形態を表すチューナ機能を有し、相互接続された改善されたノブを備える図３に示される電気ギター回路の概略図である。
【図４Ｂ】ボリューム・ノブに取って代わる、本発明の１つの実施形態を表すチューナ機能を有する、改善されたノブを備える図３に示される電気ギター回路の概略図である。
【図５】本発明の１つの実施形態を表すチューナ機能を有する、改善されたノブの分解図である。
【図６Ａ】本発明の１つの実施形態を表す図４に示される改善されたノブの側面図である。
【図６Ｂ】本発明の１つの実施形態を表す図５Ａに示される、改善されたノブの上に配置されたノブ・キャップの側面図である。
【図７Ａ】本発明の１つの実施形態を表す改善されたノブの正面分解図である。
【図７Ｂ】本発明の１つの実施形態を表す図７Ａに示される改善されたノブの後方分解図である。
【図８】本発明の１つの実施形態を表す改善されたノブ用のディスプレイ・リングのチューナ・ディスプレイの逆さの上面図である。
【図９】本発明の１つの実施形態を表す改善されたノブ用のディスプレイ・リングの第１のギター・チューナ・ディスプレイの逆さの上面図である。
【図１０】本発明の１つの実施形態を表す改善されたノブ用のディスプレイ・リングの第２のギター・チューナ・ディスプレイの逆さの上面図である。
【図１１】本発明の１つの実施形態を表す改善されたノブ用のディスプレイ・リングのベース・チューナ・ディスプレイの逆さの上面図である。
【図１２】本発明の１つの実施形態を表す改善されたノブ用のディスプレイ・リングの半音階チューナ・ディスプレイの逆さの上面図である。
【図１３】本発明の１つの実施形態を表す改善されたノブ用のディスプレイ・リングの液晶ディスプレイの逆さの上面図である。
【図１４】本発明の１つの実施形態を表す改善されたノブ用のディスプレイ・リングのストロボリング・ディスプレイの上面図である。
【図１５】本発明の１つの実施形態を表す改善されたノブ用のチューナ回路の概略図である。
【図１６Ａ】本発明の１つの実施形態を表す改善されたノブのプロセッサによる調律操作の制御流れ図である。
【図１６Ｂ】本発明の１つの実施形態を表すストロボリング・ディスプレイを備える改善されたノブのプロセッサによる調律操作の制御流れ図である。
【図１７】ボリューム・ノブに取って代わる、本発明の１つの実施形態を表すメトロノーム機能を備える改善されたノブを備える楽器の回路の概略図である。
【図１８】本発明の１つの実施形態を表す改善されたノブ用のディスプレイ・リングの第１のメトロノーム・ディスプレイの逆さの上面図である。
【図１９】本発明の１つの実施形態を表す改善されたノブ用のディスプレイ・リングの第２のメトロノーム・ディスプレイの逆さの上面図である。
【図２０】本発明の１つの実施形態を表す改善されたノブ用のディスプレイ・リングの第３のメトロノーム・ディスプレイの逆さの上面図である。
【図２１】本発明の１つの実施形態を表すアクセント・コントローラを備える図２０に示された第３のメトロノーム・ディスプレイの逆さの上面図である。
【図２２】本発明の１つの実施形態を表すメトロノーム機能を備える改善されたノブの分解図である。
【図２３】本発明の１つの実施形態を表す改善されたノブのプロセッサによるメトロノーム操作の制御流れ図である。
【図２４】ボリューム・ノブに取って代わる、本発明の１つの実施形態を表す視覚ディスプレイ機能を備える改善されたノブを備える楽器の回路の概略図である。
【図２５】本発明の１つの実施形態を表す改善されたノブ用のディスプレイ・リングの光ディスプレイの図である。
【図１】
2009526271.tif 000003
【図２】
2009526271.tif 000004
【図３】
2009526271.tif 000005
【図４Ａ】
2009526271.tif 000006
【図４Ｂ】
2009526271.tif 000007
【図５】
2009526271.tif 000008
【図６Ａ】
2009526271.tif 000009
【図６Ｂ】
2009526271.tif 000010
【図７Ａ】
2009526271.tif 000011
【図７Ｂ】
2009526271.tif 000012
【図８】
2009526271.tif 000013
【図９】
2009526271.tif 000014
【図１０】
2009526271.tif 000015
【図１１】
2009526271.tif 000016
【図１２】
2009526271.tif 000017
【図１３】
2009526271.tif 000018
【図１４】
2009526271.tif 000019
【図１５】
2009526271.tif 000020
【図１６Ａ】
2009526271.tif 000021
【図１６Ｂ】
2009526271.tif 000022
【図１７】
2009526271.tif 000023
【図１８】
2009526271.tif 000024
【図１９】
2009526271.tif 000025
【図２０】
2009526271.tif 000026
【図２１】
2009526271.tif 000027
【図２２】
2009526271.tif 000028
【図２３】
2009526271.tif 000029
【図２４】
2009526271.tif 000030
【図２５】
2009526271.tif 000031
【手続補正書】
【提出日】平成20年10月1日(2008.10.1)
【手続補正１】
【補正対象書類名】特許請求の範囲
【補正対象項目名】全文
【補正方法】変更
【補正の内容】
【特許請求の範囲】
【請求項１】
電気弦楽器と共に使用する改善されたノブであって、
前記電気弦楽器を調律するチューナ機能と、
前記電気弦楽器を演奏しながらテンポを維持するメトロノーム機能と、
前記電気弦楽器を演奏しながら視覚的要素を加える視覚ディスプレイ機能と、
前記１つまたは複数の機能に動力を与える相互接続された電源と、
前記１つまたは複数の機能のための処理操作を行う、相互接続されたプロセッサと、
処理操作の結果を表示する、前記プロセッサに相互接続された、いくつかのディスプレイと
のうちの１つまたは複数を備える改善されたノブ。
【請求項２】
前記電気弦楽器が増幅器に相互接続された、請求項１に記載の改善されたノブ。
【請求項３】
前記改善されたノブが、
前記電気弦楽器と、
前記相互接続された増幅器と
のうちの１つまたは複数に配置される、請求項２に記載の改善されたノブ。
【請求項４】
前記改善されたノブが、
前記電気弦楽器と、
前記増幅器と
のうちの１つまたは複数のボリューム・ノブに取って代わる、請求項３に記載の改善されたノブ。
【請求項５】
前記改善されたノブがさらに、
前記増幅器からの音の出力のボリュームを調整するボリューム機能と、
前記ボリューム機能と前記１つまたは複数のその他の機能との間で切り替えるスイッチとを有する、請求項４に記載の改善されたノブ。
【請求項６】
前記改善されたノブが、
前記電気弦楽器と、
前記増幅器と、
のうちの１つまたは複数のトーン・ノブに取って代わる、請求項３に記載の改善されたノブ。
【請求項７】
前記改善されたノブがさらに、
前記増幅器からの音の出力の音色を調整するトーン機能と、
前記トーン機能と前記１つまたは複数のその他の機能との間で切り替えるスイッチとを有する、請求項６に記載の改善されたノブ。
【請求項８】
前記いくつかのディスプレイが、
前記改善されたノブに相互接続された、いくつかのディスプレイ・リングと、
いくつかの照明管と、
いくつかのポップアウト・ディスプレイと
のうちの１つまたは複数に配置される、請求項３に記載の改善されたノブ。
【請求項９】
前記いくつかのディスプレイがそれぞれ、いくつかの照明源を備え、それぞれの照明源が、
いくつかの発光ダイオードと、
いくつかの液晶ディスプレイと、
いくつかの有機発光ダイオードと、
いくつかの真空蛍光表示管と、
いくつかのドットマトリックス・ディスプレイと、
いくつかの７セグメント発光ダイオード表示装置と
のうちの１つまたは複数を備える、請求項１に記載の改善されたノブ。
【請求項１０】
前記チューナ機能のための前記プロセッサによって行われる前記処理操作が、前記電気弦楽器で演奏される音楽的な音の周波数を決定し、前記電気弦楽器で演奏される前記音楽的な音の周波数を記憶された音の周波数と比較することを含む、請求項１に記載の改善されたノブ。
【請求項１１】
前記チューナ機能に関する処理操作結果を表示する前記いくつかのディスプレイが、前記電気弦楽器で演奏された前記音楽的な音の周波数が最も近い記憶された音の上で所定の閾値量を超える場合に点灯するいくつかの第１の照明源と、前記電気弦楽器で演奏された前記音楽的な音の周波数が最も近い記憶された音の下で所定の閾値量未満の場合に点灯するいくつかの第２の照明源とを有する、請求項１０に記載の改善されたノブ。
【請求項１２】
前記いくつかの第１の照明源および前記いくつかの第２の照明源が、最も近い記憶された音からの、前記電気弦楽器で演奏される前記音楽的な音の周波数の隔たりに依存する周波数で点灯し、消灯する、請求項１１に記載の改善されたノブ。
【請求項１３】
前記チューナ機能に関する処理操作結果を表示する前記いくつかのディスプレイがさらに、前記電気弦楽器で演奏される前記音楽的な音に最も近い記憶された音を示すために点灯するいくつかの第３の照明源を有する、請求項１１に記載の改善されたノブ。
【請求項１４】
前記チューナ機能に関する処理操作結果を表示する前記いくつかのディスプレイが、順次に閃光してチェース効果を形成する照明源のリングを有する、請求項１０に記載の改善されたノブ。
【請求項１５】
前記チェース効果の見掛け速度が、最も近い記憶された音からの、前記電気弦楽器で演奏される前記音楽的な音の周波数の隔たりに依存する、請求項１４に記載の改善されたノブ。
【請求項１６】
前記電気弦楽器で演奏された前記音楽的な音の周波数が最も近い記憶された音の上で所定の閾値量を超える場合に、前記チェース効果が第１の方向であり、前記電気弦楽器で演奏された前記音楽的な音の周波数が最も近い記憶された音の下で所定の閾値量未満の場合に、前記チェースが第２の方向である、請求項１４に記載の改善されたノブ。
【請求項１７】
電気弦楽器と、
前記電気弦楽器に相互接続された増幅器と、
前記電気弦楽器に相互接続された改善されたノブであって、
前記電気弦楽器を調律するチューナ機能と、
前記電気弦楽器を演奏しながらテンポを維持するメトロノーム機能と、
前記電気弦楽器を演奏しながら視覚的要素を加える視覚ディスプレイ機能とのうちの１つまたは複数を備える改善されたノブと、
前記１つまたは複数の機能に動力を与える相互接続された電源と、
前記１つまたは複数の機能のための処理操作を行う、相互接続されたプロセッサと、
前記処理操作の前記結果を表示する、前記プロセッサに相互接続された、いくつかのディスプレイと
を備える電気弦楽器システム。
【請求項１８】
前記改善されたノブが、
前記電気弦楽器と、
前記相互接続された増幅器と
のうちの１つまたは複数に配置された、請求項１７に記載の電気弦楽器システム。
【請求項１９】
前記改善されたノブが、
ボリューム・ノブと、
トーン・ノブと
のうちの１つまたは複数に取って代わる、請求項１８に記載の電気弦楽器システム。
【請求項２０】
前記チューナ機能のための前記プロセッサによって行われる前記処理操作が、前記電気弦楽器で演奏される音楽的な音の周波数を決定し、前記電気弦楽器で演奏される前記音楽的な音の周波数を記憶された音の周波数と比較することを含む、請求項１７に記載の電気弦楽器システム。
【請求項２１】
前記チューナ機能に関する処理操作結果を表示する前記いくつかのディスプレイが、前記電気弦楽器で演奏された前記音楽的な音の周波数が最も近い記憶された音の上で所定の閾値量を超える場合に点灯するいくつかの第１の照明源と、前記電気弦楽器で演奏された前記音楽的な音の周波数が最も近い記憶された音の下で所定の閾値量未満の場合に点灯するいくつかの第２の照明源とを有する、請求項２０に記載の電気弦楽器システム。
【請求項２２】
前記いくつかの第１の照明源および前記いくつかの第２の照明源が、最も近い記憶された音からの、前記電気弦楽器で演奏される前記音楽的な音の周波数の隔たりに依存する周波数で点灯し、消灯する、請求項２１に記載の電気弦楽器システム。
【請求項２３】
前記チューナ機能に関する処理操作結果を表示する前記いくつかのディスプレイがさらに、前記電気弦楽器で演奏される前記音楽的な音に最も近い記憶された音を示すために点灯するいくつかの第３の照明源を有する、請求項１８に記載の電気弦楽器システム。
【請求項２４】
前記チューナ機能に関する処理操作結果を表示する前記いくつかのディスプレイが、順次に閃光してチェース効果を形成する照明源のリングを有する、請求項２０に記載の電気弦楽器システム。
【請求項２５】
前記チェース効果の見掛け速度が、最も近い記憶された音からの、前記電気弦楽器で演奏される前記音楽的な音の周波数の隔たりに依存する、請求項２４に記載の電気弦楽器システム。
【請求項２６】
前記電気弦楽器で演奏された前記音楽的な音の周波数が最も近い記憶された音の上で所定の閾値量を超える場合に、前記チェース効果が第１の方向であり、前記電気弦楽器で演奏された前記音楽的な音の周波数が最も近い記憶された音の下で所定の閾値量未満の場合に、前記チェースが第２の方向である、請求項２４に記載の電気弦楽器システム。
【請求項２７】
電気弦楽器を調律する方法であって、
相互接続された改善されたノブを備える電気弦楽器であって、前記改善されたノブが前記電気弦楽器を調律するチューナ機能、前記チューナ機能に動力を与える相互接続された電源、前記チューナ機能に関して処理操作を行う相互接続されたプロセッサ、および処理操作結果を表示するために、前記プロセッサに相互接続されたディスプレイを提供するステップと、
前記電気弦楽器の前記弦のうちの１つで音を演奏するステップと、
前記電気弦楽器で前記演奏された弦を調律するのを補助するために、前記ディスプレイに表示された前記処理操作結果を使用するステップと
を含む方法。
【請求項２８】
前記電気弦楽器が増幅器に相互接続された、請求項２７に記載の方法。
【請求項２９】
前記改善されたノブが、
前記電気弦楽器と、
前記相互接続された増幅器と
のうちの１つまたは複数に配置された、請求項２８に記載の方法。
【請求項３０】
前記改善されたノブが、ボリューム・ノブおよびトーン・ノブのうちの１つまたは複数に取って代わる、請求項２８に記載の方法。
【国際調査報告】
2009526271.tif 000032